【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】
ネットワーク上でバイオメトリックデータを収集して、送信する装置であって、
固有の識別子をもち、バイオメトリックデータを収集するセンサと、
センサに連結されていて、トークンをセンサへ送るトークン生成器と、
センサに連結されていて、センサによって収集されたバイオメトリックデータをディジタルファイルに変換するディジタイザと、
センサに連結されていて、ディジタルファイル、固有の識別子、およびトークンを含むデータパッケージを作成する結合器と、
データパッケージに連結されていて、署名されたデータパッケージを作成するコード生成器と、
結合器に連結されていて、署名されたデータパッケージをネットワークへ出力する出力インターフェイスとを含む装置。
【請求項２】
ディジタルファイルがメモリおよびフレーム記憶装置の１つである請求項１記載の装置。
【請求項３】
センサに接続された画像プロセッサであって、ディジタイザ、メモリ、および画像を圧縮する圧縮器を含む画像プロセッサをさらに含む請求項１記載の装置。
【請求項４】
ディジタルファイルに接続されていて、圧縮前にメモリ内の画像の大きさを低減するクロッパをさらに含む請求項１記載の装置。
【請求項５】
センサがカメラである請求項１記載の装置。
【請求項６】
カメラが２次元画像化デバイスである請求項５記載の装置。
【請求項７】
画像化デバイスが、ＣＣＤおよびＣＭＯＳ画像化デバイスの１つである請求項６記載の装置。
【請求項８】
コード生成器が、ウオーターマーク、ディジタル署名、暗号化鍵、ディジタルファイルの先頭に付加されたコード、およびディジタルファイルの最後に付加されたコードを含むグループから選択されるコードを作成する請求項１記載の装置。
【請求項９】
センサ、コード生成器、結合器、および出力インターフェイスが含まれている防不正変更パッケージをさらに含む請求項１記載の装置。
【請求項１０】
防不正変更パッケージが開かれたときに作動されるスイッチをさらに含む請求項９記載の装置。
【請求項１１】
スイッチを作動させると、装置が非機能状態になる請求項１０記載の装置。
【請求項１２】
出力インターフェイスに接続されたパーソナルコンピュータをさらに含む請求項１記載の装置。
【請求項１３】
出力インターフェイスに接続された組込まれたプロセッサをさらに含む請求項１記載の装置。
【請求項１４】
ネットワーク上でバイオメトリックデータを収集して、送信するシステムであって、
ａ．固有の識別子をもち、バイオメトリックデータを収集するセンサと、
センサに連結されていて、トークンをセンサへ送るトークン生成器と、
センサに連結されていて、センサによって収集されたバイオメトリックデータをディジタルファイルへ変換するディジタイザと、
ディジタルファイルおよびセンサに連結されていて、ディジタルファイル、固有の識別子、およびトークンを含むデータパッケージを作成する結合器と、
データパッケージに連結されていて、署名されたデータパッケージを作成するコード生成器と、
結合器に連結されていて、署名されたデータパッケージをネットワークへ出力する出力インターフェイスとを含む少なくとも1つのクライアントシステム、
ｂ．バイオメトリックデータを受信し、認証し、バイオメトリックテンプレートを計算し、少なくとも１つのクライアントシステムから受信したデータに基づいて照合／認識機能を行うプログラムを含む少なくとも1つのサーバ、および、
ｃ．少なくとも１つのクライアントシステムを少なくとも1つのサーバへ接続するネットワークを含むシステム。
【請求項１５】
ディジタルファイルがメモリまたはフレーム記憶装置の１つである請求項１４記載のシステム。
【請求項１６】
センサ、ディジタイザを含む画像プロセッサ、および画像を圧縮する圧縮器に接続された画像プロセッサをさらに含む請求項１４記載のシステム。
【請求項１７】
センサがカメラである請求項１４記載のシステム。
【請求項１８】
カメラが２次元画像化デバイスである請求項１７記載のシステム。
【請求項１９】
画像化デバイスがＣＣＤおよびＣＭＯＳ画像化デバイスの１つである請求項１４記載のシステム。
【請求項２０】
コード生成器が、ウオーターマーク、ディジタル署名、暗号化鍵、ディジタルファイルの先頭に付加されるコード、およびディジタルファイルの最後に付加されるコードを含むグループから選択されるコードを作成する請求項１４記載のシステム。
【請求項２１】
センサ、ディジタイザ、コード生成器、結合器、および出力インターフェイスが含まれている防不正変更パッケージをさらに含む請求項１４記載のシステム。
【請求項２２】
防不正変更パッケージが開かれたときに作動されるスイッチをさらに含む請求項２１記載のシステム。
【請求項２３】
スイッチを作動させると、装置が非機能状態になる請求項２２記載のシステム。
【請求項２４】
サーバが、トークン生成器、画像認証モジュール、バイオメトリックテンプレート生成モジュール、バイオメトリック識別モジュール、およびデータベースの少なくとも1つを含む請求項１４記載のシステム。
【請求項２５】
少なくとも1つのサーバがログを含む請求項１４記載のシステム。
【請求項２６】
サーバに接続された認定機関をさらに含む請求項１４記載のシステム。
【請求項２７】
ディジタルファイルに接続されていて、メモリ内の画像の大きさを圧縮前に低減するクロッパをさらに含む請求項１４記載のシステム。
【請求項２８】
ネットワーク上でバイオメトリックデータを収集し、サーバへ送信する方法であって、
認証サーバからトークンを受信することと、
固有の識別子をもつセンサからバイオメトリック情報を獲得することと、
バイオメトリック情報をバイオメトリックディジタルファイルへ変換することと、
ディジタルファイル、トークン、および固有の識別子をデータパッケージへ結合することと、
データパッケージに署名することと、
署名されたデータパッケージをネットワーク上でサーバへ送信することと、
署名されたデータパッケージを認証することとを含む方法。
【請求項２９】
データパッケージが、バイオメトリック情報が獲得された時刻、暗号化鍵、バイオメトリック情報が獲得された場所、および時間間隔の少なくとも１つを識別する情報を含む請求項２８記載の方法。
【請求項３０】
バイオメトリックディジタルファイルをバイオメトリックテンプレートへ変換することをさらに含む請求項２８記載の方法。
【請求項３１】
ａ．バイオメトリックテンプレートを、記憶されているバイオメトリックテンプレートと比較することと、
ｂ．このような比較に基づいて、保護された資源へのアクセスを与えるかまたは拒否することとをさらに含む請求項３０記載の方法。
【請求項３２】
ネットワークがインターネットを含む請求項２８記載の方法。
【請求項３３】
バイオメトリック情報がクライアントシステムによって獲得され、
ａ．クライアントシステムからネットワークを介してサーバへ要求を送信することによって、保護された資源へのアクセスを認可するようにサーバに要求する段階と、
ｂ．バイオメトリック情報の調査に基づいて、保護された資源へのアクセスを与えるかまたは拒否する段階とをさらに含む請求項２８記載の方法。
【請求項３４】
ａ．サーバからクライアントシステムへトークンを送出する段階と、
ｂ．ディジタルファイルをサーバへ送信する前に、クライアントシステムにおいてトークンをディジタルファイルに添付する段階と、
ｃ．サーバにおいてディジタルファイルを有するトークンの存在を検査する段階とをさらに含む請求項２８記載の方法。
【請求項３５】
データパッケージを送信前に暗号化し、その後で、サーバにおいて暗号解読することをさらに含む請求項２８記載の方法。
【請求項３６】
ディジタルファイルをクロッピングする段階、およびディジタルファイルを送信前に圧縮する段階の少なくとも1つをさらに含む請求項２８記載の方法。
【請求項３７】
前記トークンが、時間の成分をさらに含む請求項１記載の装置。
【請求項３８】
前記トークンが、時間の成分を含む請求項１４記載のシステム。
【請求項３９】
サーバが、バイオメトリックデータを受信し、認証し、バイオメトリックテンプレートを計算し、少なくとも１つのクライアントシステムから受信したデータに基づいて照合／認識機能を行うプログラムを含み、クライアントシステムから受信したトークンが、トークン生成器から送られたトークンにほぼ等しいことを照合するプログラムをさらに含む請求項３８記載のシステム。
【請求項４０】
クライアントシステムから受信したトークンが、トークン生成器から送られたトークンにほぼ等しいことを照合するプログラムが、トークンがトークン生成器から送られた時間と、トークンがクライアントシステムから送られた時間との間の時間間隔が、特定の間隔内に入ることも照合するように適応されている請求項３９記載のシステム。
【請求項４１】
前記トークンが、時間の成分を含む請求項２８記載の方法。